(57)【要約】本発明は、長板状のセンサ本体（２）と、このセンサ本体（２）の前端部に設けた測定部（３）と、センサ本体（２）の後端部に設けた接続端子（４）とを備え、センサ本体（２）の表面および裏面の両面の、センサ本体（２）の表面および裏面の両面の、センサ本体（２）の重心位置、測定部（３）および接続端子（４）に重ならない同位置に、同一板形状の密着防止部（１０）を設け、密着防止部（１０）のセンサ本体（２）の長手方向の長さが、長手方向に直交する長さよりも小さくした。
2012157262.tif 000002
【特許請求の範囲】
【請求項１】
長板状のセンサ本体と、このセンサ本体の前端部に設けた測定部と、前記センサ本体の後端部に設けた接続端子と、前記センサ本体内において前記測定部と前記接続端子を電気的に接続した接続部とを備え、
前記センサ本体の表面および裏面の両面の、前記センサ本体の重心位置、前記測定部および前記接続端子に重ならない同位置に、同一板形状の密着防止部を設け、前記密着防止部の、前記センサ本体の長手方向の長さを前記長手方向に直交する長さよりも短くした生体試料測定センサ。
【請求項２】
前記密着防止部は、板状体によって構成した請求項１に記載の生体試料測定センサ。
【請求項３】
前記密着防止部の前記センサ本体表面に垂直な方向の厚さは、前記センサ本体の厚さよりも小さくした請求項２に記載の生体試料測定センサ。
【請求項４】
前記密着防止部を構成する前記板状体は、前記センサ本体と接着した面とは反対側の面を、粗面とした請求項３に記載の生体試料測定センサ。
【請求項５】
前記密着防止部は、前記センサ本体の表面に印刷により形成した請求項１に記載の生体試料測定センサ。
【請求項６】
前記印刷は、スクリーン印刷である請求項５に記載の生体試料測定センサ。
【請求項７】
前記スクリーン印刷で吸湿体を印刷した請求項６に記載の生体試料測定センサ。
【請求項８】
請求項１に記載の生体試料測定センサを、複数枚収納した有底筒状の収納容器。
【請求項９】
収納容器本体の上面開口部には、開閉自在な蓋体を設けた請求項８に記載の収納容器。
【請求項１０】
上面が開口した容器本体と、この容器本体内の上方に装着された振出具と、前記容器本体内に収納されるとともに、前記振出具を介して前記容器本体外に振り出される長板状の請求項１に記載の生体試料測定センサとを備え、
前記振出具は、前記容器本体の開口部に装着されるとともにその外周部に振出辺を有する弾性天板と、この弾性天板の前記振出辺に対向させるとともにこの対向部から下方に向けて垂下した案内壁とを有し、前記振出辺と前記案内壁との対向により横長の振出口を形成し、この振出口の短辺側の振出口幅を、前記生体試料測定センサの前記センサ本体一枚分の板厚よりも大きく、前記センサ本体二枚分の板厚よりも小さくした収納容器。
【請求項１１】
前記センサ本体の前記密着防止部を設けた部分の厚さは、前記振出口の短辺側の振出口幅よりも大きくした請求項１０に記載の収納容器。
【請求項１２】
前記センサ本体の前記密着防止部を設けた部分の厚さは、前記センサ本体二枚分の厚さよりも小さくした請求項１０に記載の収納容器。
【請求項１３】
前記案内壁は、長方形状とし、その長手方向の長さを前記センサ本体の長さよりも大きくした請求項１０に記載の収納容器。
【請求項１４】
前記案内壁には、前記弾性天板を保持する保持部を設けた請求項１３に記載の収納容器。
【請求項１５】
前記案内壁の長手方向の両端は、前記容器本体の内壁面にそれぞれ当接させて設けた請求項１４に記載の収納容器。
【請求項１６】
前記振出口は、前記案内壁の長手方向に直交する方向に、前記案内壁の一端側から他端側にかけて設けた請求項１０に記載の収納容器。
【請求項１７】
前記開口部上方には、前記振出具の前記弾性天板上を覆った状態で、前記開口部を開閉自在に覆う蓋を設けた請求項１０に記載の収納容器。
【発明の詳細な説明】
【技術分野】
【０００１】
本発明は、たとえば、血糖値センサのような生体試料測定センサと、それを収納した収納容器に関する。
【背景技術】
【０００２】
従来のこの種、血糖値センサのような生体試料測定センサの構成は、以下のようになっていた。【０００３】
すなわち、図１５に示すように、従来の血糖値センサ１０１は、長板状のセンサ本体１０２と、このセンサ本体の前端部に設けた測定部１０３と、センサ本体の後端部に設けた接続端子１０４と、測定部１０３と接続端子１０４を結ぶ接続部（図示せず）を備えた構成である。そして、この血糖値センサ１０１を、有底筒状の収納容器に、複数枚収納していた（例えば特許文献１参照）。【０００４】
しかしながら、上記従来例における生体試料測定センサと、それを収納した収納容器は、きわめて使い勝手が悪いという課題を有していた。【０００５】
すなわち、従来の生体試料測定センサとしての血糖値センサ１０１は、長板状のセンサ本体１０２を有し、これを上述のごとく、有底筒状の収納容器（図示せず）内に複数枚収納しているが、これら複数の血糖値センサ１０１が重なって密着した状態となる。このように重なって密着した血糖値センサ１０１を、一枚ずつ収納容器外に引き出すのは難しく、時として、複数枚を取り出してしまい、その内の一枚または複数枚を落下させてしまうこともあった。【０００６】
従って、使用者は、時間をかけて慎重に、収納容器内から一枚の血糖値センサ１０１を引き出さねばならず、その結果として、収納容器から生体試料測定センサである血糖値センサ１０１を容易に取り出すことができなかった。【０００７】
そこで本発明は、収納容器から生体試料測定センサを容易に取り出すことができるようにすることを目的とする。
【先行技術文献】
【特許文献】
【０００８】
【特許文献１】特開２０１０−１７３６７４号公報
【発明の概要】
【０００９】
本発明は、長板状のセンサ本体と、このセンサ本体の前端部に設けた測定部と、センサ本体の後端部に設けた接続端子と、センサ本体内において測定部と接続端子を電気的に接続した接続部とを備え、センサ本体の表面および裏面の両面の、センサ本体の重心位置、測定部および接続端子に重ならない同位置に、同一板形状の密着防止部を設け、密着防止部の、センサ本体の長手方向の長さを、長手方向に直交する長さよりも短くした。
【００１０】
これにより、収納容器からセンサを容易に取り出すことができる。
【００１１】
すなわち本発明においては、センサ本体の表面および裏面の両面に、ほぼ同一形状の密着防止部を、同位置に接着して設けた。このため、複数ある血糖値センサ同士は、収納容器内でお互いに密着することはなく、個々に分離した状態となる。
【００１２】
またセンサ本体には、密着防止部をセンサ本体の重心位置から測定部までの間（つまり測定部側）に設けた。そして、センサ本体を、その測定部側を収納容器の開口部側にして、収納容器に収納する。このため、センサ本体の密着防止部は、収納容器の上面開口部近傍に配置される。
【００１３】
したがって、使用者が、たとえば人差し指を収納容器の開口部から差し込むと、この差し込んだ指を開口部近傍の密着防止部に当接させることができる。
【００１４】
その結果として、個々に分離したセンサを一枚だけ、収納容器から容易に取り出すことができる。
【図面の簡単な説明】
【００１５】
【図１】図１は、本発明の第１の実施の形態に係る生体試料測定センサの斜視図である。
【図２】図２は、本発明の第１の実施の形態に係る生体試料測定センサの分解図である。
【図３】図３は、本発明の第１の実施の形態に係る収納容器の斜視図である。
【図４】図４は、本発明の第１の実施の形態に係る収納容器の、生体試料測定センサ収納時の断面図である。
【図５】図５は、本発明の第１の実施の形態に係る収納容器に収納した生体試料測定センサの側面図である。
【図６】図６は、本発明の第１の実施の形態に係る生体試料測定センサの側面図である。
【図７】図７は、本発明の第２の実施の形態に係る生体試料測定センサの斜視図である。
【図８】図８は、本発明の第２の実施の形態に係る収納容器の斜視図である。
【図９】図９は、本発明の第２の実施の形態に係る収納容器の分解斜視図である。
【図１０】図１０は、本発明の第２の実施の形態に係る収納容器の上面図である。
【図１１】図１１は、本発明の第２の実施の形態に係る収納容器の検査板振出時における斜視図である。
【図１２】図１２は、本発明の第２の実施の形態に係る収納容器の要部断面図である。
【図１３】図１３は、本発明の第２の実施の形態に係る収納容器の要部断面図である。
【図１４】図１４は、本発明の第２の実施の形態に係る生体試料測定センサを積み重ねた状態の側面図である。
【図１５】図１５は、従来の生体試料測定センサである血糖値センサの収納容器への収納時の斜視図である。
【発明を実施するための形態】
【００１６】
以下、本発明の第１の実施の形態に係る生体試料測定センサを、血糖値を測定する血糖値センサに適用し、添付図面を用いて説明する。
【００１７】
（第１の実施の形態）
図１に示すように、生体試料測定センサである血糖値センサ１は、長板状のセンサ本体２と、このセンサ本体２の前端部に設けた測定部３と、センサ本体２の後端部に設けた接続端子４と、センサ本体２内において測定部３と接続端子４とを電気的に接続する図２に示す接続部５を備えている。
【００１８】
血糖値センサ１は、図２に示すように、基板６とスペーサ７とカバー８を積層させて一体化させたものである。また、スペーサ７に形成する測定部３においては、試薬９が基板６とスペーサ７に挟まれて設けられている。
【００１９】
すなわち、測定部３は、よく知られているように測定部３に点着された血液が試薬９と反応し、血液中の血糖値によって接続端子４の端子間電流が変化する構造となっている。この血糖値に対応した端子間電流は、接続部５、接続端子４を介して、測定装置（図示せず）に伝達されるようになっている。
【００２０】
さらに、本実施の形態においては、図１に示すごとく、センサ本体２の表面および裏面の両面の同位置には、ほぼ同一板形状の密着防止部１０を設けている。この密着防止部１０は、センサ本体２の重心位置から測定部３までの間の、重心位置と測定部３に重ならない位置に設けている。つまり、図６に示すように、血糖値センサ１の横倒し状態でのセンサ本体２の重心位置から測定部３までの間の、重心位置と測定部３に重ならない位置に密着防止部１０を設けている。
【００２１】
さらに、密着防止部１０は、図１に示すように、センサ本体２の長手方向の長さ（図１の上下方向の長さ）を、長手方向に直交する長さ（図１の左右方法の長さ）よりも短くしている。また、密着防止部１０は、センサ本体２の長手方向に直交する方向のセンサ本体２の右端から左端にかけて設けている。つまり、密着防止部１０は、センサ本体２の短手方向の端から端にかけて設けている。このように、密着防止部１０は、センサ本体２の短手方向に長く、センサ本体２の長手方向に短くしている。たとえば、センサ本体２の短手方向の長さを６．５ｍｍ、密着防止部１０のセンサ本体２の長手方向長さを４ｍｍ、長手方向に直交する長さを６．５ｍｍとしている。
【００２２】
さらにまた、密着防止部１０の厚さ、つまりセンサ本体２表面における垂直方向の厚さは、センサ本体２の厚さ（たとえば、０．５ｍｍ）よりも小さくしている。より具体的には、密着防止部１０の厚さは、カバー８の厚さとほぼ同じとし、センサ本体２の厚さの約１／３としている。このように、密着防止部１０の厚さをセンサ本体２よりも薄くすることにより、図３の収納容器１１内に、図４に示すように、多くの血糖値センサ１を収納する。なお、収納容器１１は、上面が開口した有底円筒状の収納容器本体１２と、この収納容器本体１２の上面開口部を開閉自在に覆った蓋体１３により構成されている。
【００２３】
本実施の形態においては、センサ本体２の表面および裏面の両面に、ほぼ同一長方形状の板状体からなる密着防止部１０を、同位置に接着して設けた。このため、複数ある血糖値センサ１同士は、収納容器本体１２内でお互いにセンサ本体２が密着することはなく、個々に分離した状態となる。
【００２４】
この時重要なのは、長方形状の密着防止部１０を、センサ本体２の表面および裏面の両面に設けたことである。たとえば、センサ本体２の表面のみに密着防止部１０を設けた場合、センサ本体２の裏面同士が当接した時は、この裏面同士が裏面全体に渡って密着してしまい分離しづらいものとなる。
【００２５】
これに対して、本実施の形態においては、密着防止部１０をセンサ本体２の表面および裏面の両面に設けたので、センサ本体２のどちらの面が当接しても、収納容器本体１２内でセンサ本体２同士が密着することはなく、複数ある血糖値センサ１は個々に分離した状態となる。
【００２６】
その結果として、使用者は、個々に分離した状態の血糖値センサ１を、一枚だけ収納容器本体１２内からきわめて容易に引き出すことができるものとなる。
【００２７】
この引き出しについて、具体的に説明すると、血糖値センサ１は、図６に示すように、密着防止部１０がセンサ本体２の重心位置から測定部３までの間の重心位置および測定部３と重ならない位置、つまり測定部３側に設けられ、図４に示したように、測定部３側を収納容器本体１２の開口部側にして収納容器本体１２に収納される構成としている。このため、血糖値センサ１のセンサ本体２に設けた密着防止部１０は、収納容器本体１２の上面開口部近傍に配置される。
【００２８】
したがって、使用者が、たとえば人差し指を収納容器本体１２の開口部から差し込むと、この差し込んだ指を開口部近傍の密着防止部１０に当接させることができる。
【００２９】
ここで、密着防止部１０は、センサ本体２の長手方向の長さを短くしている。このように、密着防止部１０を小さく構成したので、使用者は、差し込んだ人差し指の腹で密着防止部１０を収納容器本体１２の内壁面方向に軽く押しつけると、密着防止部１０を確実に捕らえることができる。また密着防止部１０を小さくしたので、隣り合う密着防止部１０同士の密着が防止できる。
【００３０】
この状態から、人差し指を収納容器本体１２の開口部側に引きつけるようにしてセンサ本体２を動かせば、個々に分離した状態の血糖値センサ１を収納容器本体１２外へと引き出すことができる。
【００３１】
またこの時、密着防止部１０は、センサ本体２の短手方向の端から端にかけて設けている。このため、使用者は、差し込んだ人差し指の腹で、密着防止部１０の接続端子４側の端部を引っかけて引き出すことができるので、センサ本体２の引き出し性を高めたものとなる。
【００３２】
その結果として、使用者は、収納容器本体１２内から、一枚の血糖値センサ１をきわめて容易に取り出すことができる。
【００３３】
なお、このような血糖値センサ１は、近年、小型化が進んでいる。このため、血糖値センサ１を収納容器本体１２内から取り出した後、測定装置（図示せず）にセットする時などに、血糖値センサ１を誤って落下させてしまうことがある。
【００３４】
そこで、本実施の形態の血糖値センサ１は、密着防止部１０を、図６に示すように、センサ本体２の重心位置から測定部３までの間の重心位置および測定部３と重ならない位置に設けた。
【００３５】
このため、センサ本体２をたとえば誤って机の上に落下させてしまった時などは、センサ本体２は、接続端子４と密着防止部１０の接続端子４側の端部が机の面とそれぞれ線接触する。そして、この２箇所の線接触により、センサ本体２は机の面に対して斜め状態で保持される。したがって、センサ本体２は、机の上面と密着することはない。
【００３６】
なお血糖値センサ１は、収納容器１１内になるべく多く収納させるために、密着防止部１０の厚さをセンサ本体２の厚さよりも薄くしている。このため落下時には、センサ本体２と机の面の隙間が小さくなり、取り上げにくいものとなる。そこで、本実施の形態においては、落下時に、上述のごとく２つの線接触によりセンサ本体２を斜め状態で保持し、センサ本体２の測定部３側の端を積極的に持ち上げるようにした。
【００３７】
この持ち上げにより、センサ本体２の測定部３側の端では落下先の面との隙間が大きくなるので、使用者は、この隙間を利用してセンサ本体２を例えば指で摘んで容易に取り上げることができる。
【００３８】
またこの時、センサ本体２は机の面と２箇所で線接触しているだけなので、使用者は、センサ本体２を、取り上げるのに適切な場所にまで簡単に滑らせて移動させることができる。なお、密着防止部１０は、センサ本体２の表裏面に設けているので、どちらの面が下になって落下したとしても血糖値センサ１を同じように取り扱うことができる。
【００３９】
その結果として、血糖値センサ１は、収納容器１１内からの取り出した後も、取り扱いが容易なものとなる。
【００４０】
さらに、本実施の形態の密着防止部１０は、センサ本体２と接着した面とは反対側の面、つまり使用者の指が当接する側の面を粗面としている。このため、使用者は、差し込んだ人差し指の腹で、密着防止部１０の粗面を確実に捕らえることができるものとなる。
【００４１】
さて、上記説明においては、密着防止部１０を長方形状の板状体で構成したが、この板状体からなる密着防止部１０に替えて、密着防止部１０を印刷により構成してもよい。より具体的には、測定部３と接続端子４間の測定部３側には、センサ本体２の表面および裏面の同位置に、密着防止部１０としてシリカゲルのスクリーン印刷により構成しても、一枚の血糖値センサ１を収納容器本体１２内からきわめて容易に引き出すことができる。
【００４２】
すなわち、センサ本体２の表裏面に、スクリーン印刷により密着防止部１０を構成した場合にも、印刷のインクの盛り上がりにより、隣り合う血糖値センサ１の表面あるいは裏面同士がお互いに密着することを防止することができ、収納容器本体１２内から一枚の血糖値センサ１を容易に取り出すことができるのである。
【００４３】
さらに、密着防止部１０を吸湿体の一例であるシリカゲルのスクリーン印刷により構成した場合には、血糖値センサ１の測定精度のバラツキを抑制できるものとなる。
【００４４】
すなわち、血糖値センサ１の測定部３においては、血液と試薬とを反応させて血糖値の測定を行うのであるが、空気中の水分によっても試薬は反応する。このため、血糖値センサ１を収納容器１１に収納保管した際に、防湿が十分でない場合には、血糖値センサ１の測定精度のバラツキを生じることがあった。
【００４５】
そこで、本実施の形態においては、密着防止部をシリカゲルのスクリーン印刷により構成したものであり、血糖値センサ１を収納容器１１に収納保管する際には、密閉された収納容器１１内の水分を、血糖値センサ１にスクリーン印刷したシリカゲルからなる密着防止部１０によって吸着させ、これにより防湿を行う。
【００４６】
その結果として、本実施の形態に係る生体試料測定センサである血糖値センサ１は、測定精度のバラツキを抑制しつつ、収納容器本体１２内からの一枚の取り出しがきわめて容易にできる。
【００４７】
（第２の実施の形態）
上記本発明の第１の実施の形態では、使用者が、収納容器１１内に指を差し込んで血糖値センサ１を取り出す形態であったが、本発明の第２の実施の形態では、収納容器１１内の血糖値センサ１を振り出して取り出す形態となっている。
【００４８】
本実施の形態における血糖値センサを、図７示す。
【００４９】
この図７に示すように、１４は本実施の形態における生体試料測定センサである血糖値センサ１４は、第１の実施の形態における血糖値センサ１とは、密着防止部の取付位置が異なっている。
【００５０】
具体的には、板状体から構成された密着防止部１０ａを、センサ本体２の重心位置から接続端子４までの間の、重心位置と接続端子４に重ならない位置に設けている。つまり、図１２に示すように、血糖値センサ１４の横倒し状態でのセンサ本体２の重心位置から接続端子４までの間の、重心位置と接続端子４に重ならない位置に密着防止部１０ａを設けている。
【００５１】
この血糖値センサ１４に適した収納容器について、以下に詳細に説明を行う。
【００５２】
図８に示すように、上面が開口した有底筒状の容器本体１５の上面開口縁には蓋１６が、開閉自在に設けられている。なお、容器本体１５と蓋１６は合成樹脂で一体に形成されたもので、接続部１７により接続されている。
【００５３】
図９は、本実施の形態における収納容器の分解斜視図であり、容器本体１５内には、この容器本体１５内の上方に装着される振出具１８と、容器本体１５内に収納されるとともに、振出具１８を介して容器本体１５外に振り出される長板状の血糖値センサ１４を備えている。
【００５４】
血糖値センサ１４を振り出す振出具１８は、容器本体１５の開口部に装着されるとともにその外周部に振出辺１９を有する弾性体の一例であるゴム製の弾性天板２０と、この弾性天板２０の振出辺１９に対向させるとともに、この対向部から下方に向けて垂下した案内壁２１とを有している。
【００５５】
弾性天板２０は、容器本体１５の上面開口形状に合わせた、ほぼ円形状としており、振出具１８が容器本体１５内に収納された時には、図８に示すように、弾性天板２０が容器本体１５の上面開口部を覆う。
【００５６】
さらに、振出具１８では、弾性天板２０の振出辺１９と案内壁２１との対向により、図８、図１０に示すように、横長の振出口２２を形成しており、図１２、図１３に示すように、振出口２２の短辺側である短辺側振出幅Ｈ（図１２、図１３においては上下方向の高さ）を、センサ本体２一枚分の板厚よりも大きく、センサ本体２二枚分の板厚よりも小さくしている。さらに、センサ本体２の密着防止部１０ａを設けた部分の密着防止部厚さＴ（センサ本体２の表面側から裏面側方向の厚さ）は、振出口２２の短辺側振出幅Ｈよりも大きくしている。
【００５７】
より具体的には、振出口２２の短辺側振出幅Ｈをセンサ本体２一枚分の板厚よりも大きいセンサ本体２の１．３枚分とし、センサ本体２の密着防止部厚さＴをセンサ本体２の１．６枚分としている。これにより、詳細は後述するが、振出口２２にセンサ本体２の密着防止部１０ａが引っかかるようにしている。
【００５８】
さらに、センサ本体２の密着防止部厚さＴの厚さは、センサ本体２の二枚分の板厚よりも小さく形成している。より具体的には、密着防止部厚さＴの厚さを、上述したように、センサ本体２の１．６枚分と小さくしている。つまり、密着防止部厚さＴを小さくすることにより、容器本体１５の内部に多数の血糖値センサ１４を収納しようとしている。
【００５９】
さて、振出具１８の案内壁２１は、図９に示すごとく、長方形状とし、その長手方向の長さをセンサ本体２の長さよりも大きくしている。このため、図９、図１２に示すように、センサ本体２を案内壁２１上に乗せることができ、血糖値センサ１４の振出時においては、センサ本体２を振出口２２へと案内することができる。
【００６０】
さらに、案内壁２１の長手方向の両端は、容器本体１５の内壁面にそれぞれ当接している。このため、血糖値センサ１４の振出時においては、その振出振動により、案内壁２１が容器本体１５内で振動することのないようにしている。
【００６１】
この案内壁２１には、弾性天板２０を保持する保持部２３を設けている。弾性天板２０は、振出辺１９とは反対側の外周部近傍において、保持部２３に、たとえば両面テープにより、接着されている。このため、弾性天板２０の振出辺１９は、接着した部分を支点として容器本体１５の軸方向に弾性が保持された状態となる。
【００６２】
そして、血糖値センサ１４を、図９に示すように、センサ本体２の測定部３を上側にして、つまり測定部３を横長の振出口２２に向けて、振出具１８の案内壁２１に沿わせ、この状態で、振出具１８を容器本体１５内に格納する。そして、図８に示すように、振出具１８の弾性天板２０は、容器本体１５の開口を覆うこととなる。
【００６３】
そして、使用者が蓋１６を閉めると、蓋１６は、振出具１８の弾性天板２０上を覆った状態で、容器本体１５の上面開口部を覆うこととなる。この状態で、使用者は容器本体１５を検査場所まで持ち運ぶ。
【００６４】
以上の構成において、以下その動作を説明する。
【００６５】
図１１から図１４は、使用者が血糖値センサ１４を容器本体１５内から１枚だけ取り出す状態を説明するための図である。
【００６６】
つまり使用者が、血糖値センサ１４を容器本体１５内から１枚だけ取り出す時には、図１１に示すように、容器本体１５から蓋１６を開放し、次に容器本体１５を横倒しにする。そして、図１２に示すように、容器本体１５内の血糖値センサ１４のセンサ本体２を案内壁２１の壁面上に乗せる。この状態で、筒状の容器本体１５を容器本体１５の長手方向に垂直であって、水平な方向、すなわち図１２の手前と奥側の方向に振る。すると、容器本体１５内では、図１２に示すように、その振動により、一枚の血糖値センサ１４のセンサ本体２が、その表面あるいは裏面を案内壁２１の壁面に沿わせた状態で、案内壁２１上に乗った状態となる。また、このセンサ本体２の上に、複数の血糖値センサ１４が、図１４に示すように、重なり合って積層した状態となる。
【００６７】
この時、本実施の形態においては、センサ本体２の長手方向において、中央部よりも接続端子４側の表面および裏面の同位置に、板状体で構成された密着防止部１０ａをセンサ本体２に設けており、このセンサ本体２の表面および裏面に設けた密着防止部１０ａは、ほぼ同一形状としている。
【００６８】
このため、容器本体１５の内部に、複数の血糖値センサ１４が収納された状態では、重なり合う血糖値センサ１４間に、お互いの密着防止部１０ａが同位置に存在することになり、血糖値センサ１４のセンサ本体２同士が密着することを防止することができる。
【００６９】
この時、重要なのは、直方形状の板状体から構成された密着防止部１０ａを、センサ本体２の表面および裏面の両面に設けたことである。
【００７０】
すなわち、たとえば、センサ本体２の表面のみに密着防止部１０ａを設けた場合、センサ本体２の裏面同士が当接した時には、お互いの面が密着して分離しづらいものとなる。しかしながら、本実施の形態においては、センサ本体２の表面および裏面の両面に密着防止部１０ａを設けている。
【００７１】
このため、血糖値センサ１４のセンサ本体２のどちらの面がお互いに当接しても、センサ本体２同士が密着することはなく、簡単に個々に分離できる状態となるのである。
【００７２】
図１２の血糖値センサ１４は、図１４のように、積層状態にある血糖値センサ１４のうち、一番下の血糖値センサ１４を表した図である。
【００７３】
本実施の形態の血糖値センサ１４は、上述のように、密着防止部１０ａを、センサ本体２の重心位置から接続端子４までの間の、重心位置と接続端子４に重ならない位置に設けている。このため、血糖値センサ１４を横倒しにした状態では、血糖値センサ１４の測定部３側が、振出口２２に向けて下がった状態となる。
【００７４】
この状態から、容器本体１５を容器本体１５の長手方向、すなわち、図１３の左右方向に向けて振ると、図１３に示すように、積層状態にある血糖値センサ１４は、案内壁２１の壁面上を滑り、振出口２２に進入する。
【００７５】
この時、本実施形態においては、上述したように、横長の振出口２２の短辺側振出幅Ｈを、センサ本体２一枚分の板厚よりも大きく、センサ本体２二枚分の板厚よりも小さくしている。このため、センサ本体２が二枚重なって振出口２２に進入することはなく、積層状態にある一番下の血糖値センサ１４を一枚だけ容器本体１５外に出すことができる。
【００７６】
さらに本実施の形態においては、上述したように、密着防止部１０ａにより、お互いに密着することを防止され、簡単に分離できる状態となっている。このため、一番下の血糖値センサ１４だけを、簡単に振出口２２に進入させることができる。
【００７７】
その結果として、振出口２２に進入した血糖値センサ１４のセンサ本体２の測定部３側が、図１３に示すように、容器本体１５外に出ていくこととなる。
【００７８】
この時、本実施の形態においては、この密着防止部１０ａの測定部３側の端部は、図１４に示すように、センサ本体２の長手方向に直交する方向の一端側から他端にかけて設けている、つまり、密着防止部１０ａがセンサ本体２の短手方向を横切るように設けている。さらに、図１３に示すように、センサ本体２の密着防止部厚さＴの厚さはセンサ本体２の１．６枚分としており、センサ本体２の１．３枚分としている振出口２２の短辺側振出幅Ｈよりも大きくしている。
【００７９】
このため、密着防止部１０ａの測定部３側の端部が振出口２２の弾性天板２０に引っかかることとなる。つまり、板状体で構成された密着防止部１０ａが、ストッパとして機能する。その結果として、血糖値センサ１４は、センサ本体２の測定部３が振出口２２から容器本体１５外に出た状態で静止することとなる。
【００８０】
使用者は、この静止した状態のセンサ本体２を、容器本体１５の外へと引き出す。
【００８１】
この時、本実施形態においては、弾性天板２０を、振出辺１９とは反対側の外周部近傍において保持部２３に、たとえば両面テープにより、接着している。これにより、この接着部を支点として、弾性天板２０の振出辺１９は容器本体１５の長手方向に弾性が保持された状態となっている。
【００８２】
このため、使用者が血糖値センサ１４を、容器本体１５から引き出す時には、弾性天板２０は密着防止部１０ａに押されて容器本体１５外へとわずかながら撓み、センサ本体２を容器本体１５から引き出すことができる。
【００８３】
その結果として、使用者は、容器本体１５内から一枚の血糖値センサ１４をきわめて容易に取り出すことができる。
【００８４】
さらに、本実施の形態においては、横長の振出口２２を、図１１に示すように、案内壁２１の長手方向に直交する一端側から他端側にかけて設けている。このため、図９に示すごとく、複数枚の血糖値センサ１４のセンサ本体２が、振出口２２に向かって案内壁２１上に並列に並ぶことができる。そして、図１１に示すごとく、容器本体１５を容器本体１５の長手方向、すなわち、図１３の左右方向にむけて軽く振ると、並列に並んだセンサ本体２が振出口２２に進入し、複数の血糖値センサ１４のセンサ本体２が容器本体１５の外に出た状態で静止する。
【００８５】
このため、使用者は、いちばん引き出しやすいセンサ本体２を引き出せば良く、この点からも、血糖値センサ１４を振出口２２から一枚ずつ容易に取り出せる。
【００８６】
さらにまた、本実施の形態においては、血糖値センサ１４を最後の一枚まで容易に取り出せるものとなっている。すなわち、従来であれば、たとえば最後の一枚の血糖値センサを容器本体から振り出す時には、血糖値センサのセンサ本体が、他のセンサ本体との密着抵抗がなくなることにより容器本体から勢いよく飛び出してしまうことがあった。
【００８７】
しかしながら、本実施の形態においては、上述したごとく、センサ本体２に密着防止部１０ａを設けたものである。このため、この密着防止部１０ａが振出口２２の弾性天板２０に引っかかり、血糖値センサ１４のセンサ本体２は容器本体１５外に半分出た状態で静止する。したがって、血糖値センサ１４は、たとえ最後の一枚であっても、容器本体１５外に飛び出してしまうことはない。
【００８８】
その結果として、容器本体１５内から、血糖値センサ１４を最後の一枚まで、きわめて容易に取り出すことができるものとなる。
【産業上の利用可能性】
【００８９】
以上のように本発明は、たとえば、血糖値センサのような生体試料センサと、それを収納した収納容器として、広く活用が期待されるものである。
【符号の説明】
【００９０】
１，１４    血糖値センサ（生体試料測定センサ）
２    センサ本体
３    測定部
４    接続端子
５    接続部
６    基板
７    スペーサ
８    カバー
９    試薬
１０，１０ａ    密着防止部
１１    収納容器
１２    収納容器本体
１３    蓋体
１５    容器本体
１６    蓋
１７    接続部
１８    振出具
１９    振出辺
２０    弾性天板
２１    案内壁
２２    振出口
２３    保持部
Ｈ    短辺側振出幅
Ｔ    密着防止部厚さ
【図１】
2012157262.tif 000003
【図２】
2012157262.tif 000004
【図３】
2012157262.tif 000005
【図４】
2012157262.tif 000006
【図５】
2012157262.tif 000007
【図６】
2012157262.tif 000008
【図７】
2012157262.tif 000009
【図８】
2012157262.tif 000010
【図９】
2012157262.tif 000011
【図１０】
2012157262.tif 000012
【図１１】
2012157262.tif 000013
【図１２】
2012157262.tif 000014
【図１３】
2012157262.tif 000015
【図１４】
2012157262.tif 000016
【図１５】
2012157262.tif 000017
【国際調査報告】
2012157262.tif 000018
2012157262.tif 000019